【事件の表示】
　平成　９年特許願第２６１７４９号「音声及び文字メッセージを受信するテレビ受信装置並びにこれを用いた音声及び文字伝達方法」拒絶査定不服審判事件〔平成１０年　５月１５日出願公開、特開平１０−１２６７０９、請求項の数（５）〕について、次のとおり審決する。
【結　論】
　原査定を取り消す。
　本願の発明は、特許すべきものとする。
【理　由】
１．手続きの経緯、本願発明
　本願は、平成９年９月２６日（パリ条約による優先権主張　１９９６年９月３０日、大韓民国）の出願であって、その請求項１ないし５に係る発明は、平成１１年１２月２１日付け、平成１２年１２月４日付け、平成１３年１２月１０日付け、平成１５年１１月１８日付け、および平成１６年３月２２日付けの手続補正書により補正された明細書および図面の記載からみて、特許請求の範囲の請求項１ないし５に記載された次のとおりのものと認める。
「【請求項１】テレビジョン放送を受信すると共に、送信者が受信者への送信を所望する同一内容の文字及び音声情報からなるメッセージ情報を貯蔵する外部ホストコンピュータから聴覚障害の受信者宛の前記メッセージ情報を受信するＴＶ受信器において、
　前記ホストコンピュータのうち少なくとも１つの電話番号を貯蔵する貯蔵部と、
　前記ホストコンピュータに情報要求信号を送るために前記貯蔵部に貯蔵された電話番号を読出し、受信者の命令により前記ＴＶ受信器の全動作を制御する制御部と、
　前記ホストコンピュータに変調信号を伝送するために前記制御部により出力された情報要求信号を変調し、前記ホストコンピュータから受信されたメッセージ情報を復調するモデムと、
　ＴＶ信号を受信するＴＶ信号受信部と、
　ビデオ信号を出力する画面部と、
　オーディオ信号を出力するスピーカーと、
　ＴＶビデオ信号及びＴＶオーディオ信号を発生するためにＴＶ信号を復調し、受信されたメッセージ情報をビデオ情報信号及びオーディオ情報信号に分離し、ビデオ情報信号とＴＶビデオ信号とを結合し、オーディオ情報信号をＴＶオーディオ情報信号に結合するＴＶ信号処理部とを含み、
　前記結合したビデオ情報信号又はＴＶビデオ信号を前記画面部に出力し、前記結合したオーディオ情報信号又はＴＶオーディオ情報信号を前記スピーカーに出力するテレビ受信装置。
【請求項２】前記ホストコンピュータから受信された文字及び音声情報は電話網を通して伝送されることを特徴とする請求項１に記載の音声及び文字メッセージを受信するテレビ受信装置。
【請求項３】前記貯蔵部はＥＥＰＲＯＭであることを特徴とする請求項１に記載の音声及び文字メッセージを受信するテレビ受信装置。
【請求項４】前記貯蔵部は前記テレビ受信器を共用する受信者に割当てられた少なくとも１つのパスワードをさらに貯蔵することを特徴とする請求項１に記載の音声及び文字メッセージを受信するテレビ受信装置。
【請求項５】ホストコンピュータに変調信号を伝送するために制御部により電話網を通してテレビ受信器に受信され、送信された情報信号を変復調し、前記ホストコンピュータから受信された聴覚障害の受信者宛の同一内容の文字及び音声情報からなるメッセージ情報を復調するモデムを含むテレビ受信器を使用する音声及び文字メッセージング方法において、
（ａ）受信者によるメッセージング要求サービス命令か否かを決定する段階と、
（ｂ）前記（ａ）段階でメッセージングサービスを要求する入力キーがある時ＴＶ画面にホスト−接続オプションを含むメニューを表示する段階と、
（ｃ）前記（ｂ）段階で前記ホスト−接続オプションが選択される時ホストコンピュータにラインを接続する段階と、
（ｄ）受信者宛のメッセージ情報があったらホストコンピュータに貯蔵された受信者宛のメッセージ情報のリストを示す段階と、
（ｅ）リストにあるメッセージ情報中の１つを選択する段階と、
（ｆ）選択されたメッセージ情報を受信し、スピーカーを通して音声メッセージを出力し、画面を通して文字メッセージを出力する段階とを含むことを特徴とするテレビ受信装置を用いた音声及び文字伝達方法。」
　
２．引用例
（１）原査定の拒絶理由で引用された特開平４−１５６８７６号公報（以下、「引用例１」という。）、特開平３−１３２１２８号公報（以下、「引用例２」という。）、特開平４−８４５８７号公報（以下、「引用例３」という。）、特開平３−１４００５２号公報（以下、「引用例４」という。）には、それぞれ次のことが記載されている。
　引用例１
　（ａ）複数のゲームソフトを記憶させた少なくとも１つのホストコンピュータに対して電話番号を付して全国の主要地に設置し、前記ホストコンピュータと各家庭に設置されたゲーム機本体を有するゲームシステムとを電話回線を用いて接続し、オペレータが前記ホストコンピュータへ前記電話回線を介してアクセスすることにより、好みのゲームソフトを選択して前記ゲームシステムへ取り込むと共に、前記ゲーム機本体に接続されたテレビモニターに通信用インフォメーションを表示させること（２頁右上欄４行〜３頁右上欄１行）。
　引用例２
　（ｂ）テレビ電話装置としての端末とセンタとからなる通信システムにおいて、前記端末側から送られた接続の指示のための情報に基づいて前記端末と前記センタとを接続し、利用者からの要求に応じて、前記センタにメッセージとして蓄積された画像情報と音声情報とを前記端末に送信すること（２頁左下欄１４行〜３頁左上欄７行）。
　引用例３
　（ｃ）音声および画像情報を蓄積する蓄積型メールシステムにおいて、蓄積機能付きテレビ電話端末からの出力要求に対応して、蓄積交換機に蓄積されたデータを前記テレビ電話端末に送信すること（６頁右上欄１１行〜左下欄２行）。
　引用例４
　（ｄ）音声および画像情報を蓄積するテレビ電話メッセージ蓄積交換方式において、第２のテレビ電話端末から伝言センタを呼び出して前記伝言センタに接続した後、第１のテレビ電話端末から前記第２のテレビ電話端末に宛てたテレビ電話メッセージの読み出し要求が前記伝言センタに入力されると、当該読み出し要求情報が前記第２のテレビ電話端末に送出されること（５頁右上欄１９行〜左下欄１８行）。
（２）当審における、平成１５年８月１３日付けで通知した拒絶の理由で引用した特開平７−１３１７６８号公報（以下、「引用例５」という。）、特開平７−１８４１７４号公報（以下、「引用例６」という。）には、それぞれ次のことが記載されている。
　引用例５
　（ｅ）データ信号を音声信号に変調して電話回線に送信し、また、電話回線から受信した音声信号をデータ信号に復調するモデム回路と、前記モデム回路によるデータ信号の送受信を制御する通信処理回路を内蔵してなるテレビ受像機において、前記通信処理回路が、モデム回路やパソコン通信の各種制御を行う機能、メモリ機能、リモート受信部とのインターフェース機能、自局宛てのデータを検索する機能を有すること（特許請求の範囲、段落【００１１】、段落【００１３】）。
　（ｆ）映像処理回路ＶＭＩＸを備え、電話回線からのデータ信号に基づく文字データとテレビ放送の受信画面とを表示器にスーパー表示したり分割表示したりすること（段落【００１０】）。
　（ｇ）音声処理回路ＡＭＩＸを備え、テレビ放送信号（音声信号）と通信処理回路からの文字信号（音声信号）をスピーカから音声出力すると共に、通信処理回路において自局宛てのデータが検索された場合に、着信表示をテレビ画面に表示すること（段落【００１４】）。
　引用例６
　（ｈ）テレビ電話機能を備えたテレビジョン受像機において、テレビ電話の通話時には、マルチ画面表示を行い、テレビ放送とテレビ電話からの両者の画像および音声を同時に画面出力すること（段落【００３２】）。
　
３．対比、判断
（１）そこで、本願の請求項１および５に係る発明と引用例１ないし６の記載内容とを対比して検討すると、引用例１ないし６に記載された発明は、本願の請求項１および５に係る発明の主要事項である次の事項（ア）を備えていないし、また、これを示唆する記載もない。
　（ア）送信者が受信者への送信を所望する同一内容の文字及び音声情報からなるメッセージ情報を貯蔵する外部ホストコンピュータから聴覚障害の受信者宛の前記メッセージ情報を受信すること。
　そして、本願の請求項１および５に係る発明は、上記事項を有することにより、明細書に記載された「音声情報が伝送器と受信器との言語差に因して伝送出来ない場合、または受信者が聴覚障害の場合にもメッセージ情報が受信器（受信者）に伝送されうる。」（【発明の効果】参照）という作用効果を奏するものであり、この点は引用例１ないし６に記載された発明からは期待することができない格別のものと認められる。
（２）したがって、本願の請求項１および５に係る発明が引用例１ないし６に記載された発明に基づいて容易に発明をすることができたものであるということはできない。
（３）本願の請求項２ないし４に係る発明は、請求項１を引用する形式で記載された請求項に係る発明であるので、請求項１に係る発明と同様に、引用例１ないし６に記載された発明に基づいて容易に発明をすることができたものであるということはできない。
　
４．むすび
　以上のとおりであるから、本願の請求項１ないし５に係る発明が引用例に記載された発明から容易に想到できたものであるとする原査定の拒絶理由によっては、本願を拒絶することはできない。
　また、他に、本願は拒絶すべきものであるとする理由を発見しない。
　よって、結論のとおり審決する。